(57)【要約】【課題】ベルトユニットの着脱性を向上させることができるようにする。【解決手段】第１のローラ、第２のローラ、第１、第２のローラ間に張設されたベルト、前記第１、第２のローラを支持するベルトフレーム、前記第１のローラの回転軸に対して回動自在に配設された軸支部材、及び該軸支部材に隣接させて前記ベルトフレームに配設された突起部材を備えたベルトユニットを装着するようになっている。そして、前記軸支部材が嵌合される受け部が形成された装置フレームと、該装置フレームに配設され、前記受け部に対して前記軸支部材を付勢する付勢部材とを有する。また、前記ベルトユニットを前記装置フレームから取り外すときに、前記突起部材が前記付勢部材を受け部から離れる方向に押圧する。【選択図】図１
2007264350.tif 000002
【特許請求の範囲】
【請求項１】
第１のローラ、第２のローラ、第１、第２のローラ間に張設されたベルト、前記第１、第２のローラを支持するベルトフレーム、前記第１のローラの回転軸に対して回動自在に配設された軸支部材、及び該軸支部材に隣接させて前記ベルトフレームに配設された突起部材を備えたベルトユニットを装着するためのベルトユニット装着装置において、
（ａ）前記軸支部材が嵌合される受け部が形成された装置フレームと、
（ｂ）該装置フレームに配設され、前記受け部に対して前記軸支部材を付勢する付勢部材とを有するとともに、
（ｃ）前記ベルトユニットを前記装置フレームから取り外すときに、前記突起部材が前記付勢部材を受け部から離れる方向に押圧することを特徴とするベルトユニット装着装置。
【請求項２】
前記受け部の近傍に、前記突起部材を受ける支持面が形成される請求項１に記載のベルトユニット装着装置。
【請求項３】
前記支持面は、前記受け部の側壁に対して所定の傾斜角を有する請求項２に記載のベルトユニット装着装置。
【請求項４】
（ａ）前記第１のローラは、前記ベルトユニットを駆動する駆動ローラであり、
（ｂ）前記第２のローラは、前記第１のローラの回転に連動して受動的に回転する従動ローラである請求項１〜３のいずれか１項に記載のベルトユニット装着装置。
【請求項５】
（ａ）画像データに応じた現像剤像を形成する画像形成部を有するとともに、
（ｂ）前記ベルトユニットは、前記画像形成部に接触させて配設され、記録媒体を搬送するとともに、該記録媒体に前記現像剤像を転写する請求項４に記載のベルトユニット装着装置。
【発明の詳細な説明】
【技術分野】
【０００１】
本発明は、ベルトユニット装着装置に関するものである。
【背景技術】
【０００２】
従来、ベルトユニットを装着するためのベルトユニット装着装置として、プリンタ、複写機、ファクシミリ、複合機等の電子写真方式の画像形成装置が提供されている。該画像形成装置のうちの、例えば、カラーのプリンタにおいては、感光体ドラムの表面を、帯電ローラによって帯電させ、ＬＥＤヘッドによって露光して静電潜像を形成し、該静電潜像に現像ローラ上で薄層化されたトナーが静電的に付着させられてトナー像が形成され、該トナー像を転写ローラによって用紙に転写した後、定着器において定着させるようになっている。また、転写後に前記感光体ドラム上に残留したトナーは、クリーニングブレードによって除去される。
【０００３】
そして、前記感光体ドラム、帯電ローラ、現像ローラ、クリーニング装置等をユニット化して画像形成ユニット（ＩＤユニット、現像装置等）が形成され、該画像形成ユニットがブラック、イエロー、マゼンタ及びシアンの各色ごとに配設され、各画像形成ユニットの感光体ドラムと対向させて転写用のベルトユニットが配設される。
【０００４】
該ベルトユニットは、駆動ローラ、従動ローラ、駆動ローラと従動ローラとの間に走行自在に張設された転写ベルト、該転写ベルトを介して各感光体ドラムと対向させられた転写ローラ等を備える。前記ベルトユニットは、画像形成装置において着脱自在に配設され、保守・点検、交換等の作業を容易に行うことができるようになっている（例えば、特許文献１参照。）。
【０００５】
図２は従来のベルトユニットの取付部を示す斜視図である。
【０００６】
図において、２６は、ベルトユニットを取り付けるためにプリンタの本体、すなわち、装置本体に形成されたフレームであり、該フレーム２６の所定の箇所に、ベアリング受け部２７が形成される。一方、前記ベルトユニットには、駆動ローラを回転自在に支持するベアリングが配設され、ベルトユニットをフレーム２６に取り付けたとき、ベアリングがベアリング受け部２７によって受けられ、このとき、装置本体側のギヤ２９と駆動ローラのギヤとが噛合させられる。
【０００７】
そして、ベアリングの上方への動きは、フレーム２６に対して揺動自在に配設されたロック部材２８がベアリングの上部を押さえることによって規制される。なお、ロック部材２８は図示されないスプリングによって矢印Ａ方向に付勢される。
【特許文献１】特開２００２−６００３９号公報
【発明の開示】
【発明が解決しようとする課題】
【０００８】
しかしながら、前記従来のプリンタにおいては、ベルトユニットを装置本体から取り外す際に、一方の手でロック部材２８を移動させ、他方の手でベルトユニットに取り付けられた把手を把持し、ベルトユニットを引き上げる必要があるので、着脱性が低くなってしまう。
【０００９】
本発明は、前記従来の問題点を解決して、ベルトユニットの着脱性を向上させることができるベルトユニット装着装置を提供することを目的とする。
【課題を解決するための手段】
【００１０】
そのために、本発明のベルトユニット装着装置においては、第１のローラ、第２のローラ、第１、第２のローラ間に張設されたベルト、前記第１、第２のローラを支持するベルトフレーム、前記第１のローラの回転軸に対して回動自在に配設された軸支部材、及び該軸支部材に隣接させて前記ベルトフレームに配設された突起部材を備えたベルトユニットを装着するようになっている。
【００１１】
そして、前記軸支部材が嵌合される受け部が形成された装置フレームと、該装置フレームに配設され、前記受け部に対して前記軸支部材を付勢する付勢部材とを有する。
【００１２】
また、前記ベルトユニットを前記装置フレームから取り外すときに、前記突起部材が前記付勢部材を受け部から離れる方向に押圧する。
【発明の効果】
【００１３】
本発明によれば、ベルトユニット装着装置においては、第１のローラ、第２のローラ、第１、第２のローラ間に張設されたベルト、前記第１、第２のローラを支持するベルトフレーム、前記第１のローラの回転軸に対して回動自在に配設された軸支部材、及び該軸支部材に隣接させて前記ベルトフレームに配設された突起部材を備えたベルトユニットを装着するようになっている。
【００１４】
そして、前記軸支部材が嵌合される受け部が形成された装置フレームと、該装置フレームに配設され、前記受け部に対して前記軸支部材を付勢する付勢部材とを有する。
【００１５】
また、前記ベルトユニットを前記装置フレームから取り外すときに、前記突起部材が前記付勢部材を受け部から離れる方向に押圧する。
【００１６】
この場合、装置フレームに付勢部材が配設され、装置フレームからベルトユニットを取り外すときに、前記付勢部材を受け部から離れる方向に押圧する。したがって、ベルトユニットの着脱性を向上させることができる。
【発明を実施するための最良の形態】
【００１７】
以下、本発明の実施の形態について図面を参照しながら詳細に説明する。この場合、ベルトユニット装着装置としてのカラーのプリンタについて説明する。
【００１８】
図３は本発明の第１の実施の形態におけるプリンタの概略図である。
【００１９】
図に示されるように、１１はプリンタであり、該プリンタ１１は、複数の画像形成部としての画像形成ユニット１２Ｂｋ、１２Ｙ、１２Ｍ、１２Ｃを有する。該画像形成ユニット１２Ｂｋ、１２Ｙ、１２Ｍ、１２Ｃは、記録媒体としての用紙の搬送方向における上流側から下流側に順に配設され、ブラック、イエロー、マゼンタ及びシアンの画像形成を行い、各色の現像剤像としてのトナー像を形成する。
【００２０】
前記各画像形成ユニット１２Ｂｋ、１２Ｙ、１２Ｍ、１２Ｃは、それぞれ、像担持体としての感光体ドラム１３Ｂｋ、１３Ｙ、１３Ｍ、１３Ｃ、該感光体ドラム１３Ｂｋ、１３Ｙ、１３Ｍ、１３Ｃと接触させて配設され、感光体ドラム１３Ｂｋ、１３Ｙ、１３Ｍ、１３Ｃの表面を一様に、かつ、均一に帯電させる図示されない帯電装置としての帯電ローラ、感光体ドラム１３Ｂｋ、１３Ｙ、１３Ｍ、１３Ｃと接触させて配設され、現像剤としてのトナーを保持するとともに、該トナーを回転に伴って感光体ドラム１３Ｂｋ、１３Ｙ、１３Ｍ、１３Ｃに付着させる現像剤担持体としての図示されない現像ローラ、該現像ローラと接触させて配設され、現像ローラにトナーを供給する図示されない現像剤供給部材としてのトナー供給ローラ、先端を前記現像ローラと当接させて配設され、現像ローラ上に供給されたトナーを均一に薄層化する図示されない現像ブレード、トナー像の転写後に感光体ドラム１３Ｂｋ、１３Ｙ、１３Ｍ、１３Ｃ上に残留したトナーを除去する図示されないクリーニング装置としてのクリーニングブレード等を、画像を形成するための要素として備える。なお、前記現像ローラ、トナー供給ローラ及び現像ブレードによって現像器が構成される。
【００２１】
また、前記感光体ドラム１３Ｂｋ、１３Ｙ、１３Ｍ、１３Ｃの表面を露光して潜像としての静電潜像を形成するために露光装置としての各ＬＥＤヘッド１５Ｂｋ、１５Ｙ、１５Ｍ、１５Ｃが、各画像形成ユニット１２Ｂｋ、１２Ｙ、１２Ｍ、１２Ｃと対向させて配設される。そして、感光体ドラム１３Ｂｋ、１３Ｙ、１３Ｍ、１３Ｃによって形成された各色のトナー像を、前記用紙に転写し、カラーのトナー像を形成するために、ベルトユニット２１が、各画像形成ユニット１２Ｂｋ、１２Ｙ、１２Ｍ、１２Ｃと対向させて配設される。
【００２２】
前記ベルトユニット２１は、第１のローラとしての駆動ローラ２２、第２のローラとしての従動ローラ（アイドルローラ）２３、前記駆動ローラ２２と従動ローラ２３との間に走行自在に張設された転写ベルト２４、及び該転写ベルト２４を介して各感光体ドラム１３Ｂｋ、１３Ｙ、１３Ｍ、１３Ｃと対向させて、かつ、画像を形成するための要素として配設された転写ローラ１６Ｂｋ、１６Ｙ、１６Ｍ、１６Ｃを備え、転写ベルト２４の走行に伴って、用紙を搬送する。
【００２３】
前記感光体ドラム１３Ｂｋ、１３Ｙ、１３Ｍ、１３Ｃの表面は、帯電ローラによって一様に、かつ、均一に帯電させられ、ＬＥＤヘッド１５Ｂｋ、１５Ｙ、１５Ｍ、１５Ｃによって画像データに従って露光され、感光体ドラム１３Ｂｋ、１３Ｙ、１３Ｍ、１３Ｃの表面に静電潜像が形成される。続いて、該静電潜像に、現像ローラによってトナーが付着させられて現像が行われ、トナー像が形成される。
【００２４】
続いて、該トナー像は、転写ローラ１６Ｂｋ、１６Ｙ、１６Ｍ、１６Ｃによって用紙に転写され、このとき、転写されずに感光体ドラム１３Ｂｋ、１３Ｙ、１３Ｍ、１３Ｃ上に残留したトナーは、クリーニングブレードによって掻き取られ、除去される。
【００２５】
一方、用紙は、媒体供給部としての給紙ユニット６１によって供給され、前記転写ベルト２４によって感光体ドラム１３Ｂｋ、１３Ｙ、１３Ｍ、１３Ｃと転写ローラ１６Ｂｋ、１６Ｙ、１６Ｍ、１６Ｃとの間を搬送されるのに伴って、各色のトナー像が用紙に順次転写され、カラーのトナー像が形成される。続いて、用紙は、定着装置としての定着器６５に送られ、該定着器６５によってトナー像が定着させられてカラー画像になる。そして、該カラー画像が形成された用紙は、プリンタ外に排出される。前記定着器６５は画像を形成するための要素として加熱ローラ、加圧ローラ等を備える。
【００２６】
次に、前記プリンタ１１に配設されるベルトユニット２１について説明する。
【００２７】
図４は本発明の第１の実施の形態におけるベルトユニットの装着方法を示す斜視図、図５は本発明の第１の実施の形態におけるベルトユニットの平面図、図６は本発明の第１の実施の形態におけるベルトユニットの斜視図、図７は本発明の第１の実施の形態におけるベルトユニットの要部を示す斜視図である。
【００２８】
図に示されるように、プリンタ１１にはベルトユニット２１が着脱自在に配設され、該ベルトユニット２１は、前述されたように、駆動ローラ２２、従動ローラ２３、転写ベルト２４及び転写ローラ１６Ｂｋ（図３）、１６Ｙ、１６Ｍ、１６Ｃを備える。
【００２９】
前記転写ベルト２４は、プリンタ１１の最大印字幅以上の幅を有するエンドレスのベルトから成る。また、転写ベルト２４の所定の箇所に対向させて、図示されないブレード等が配設され、該ブレードによって転写ベルト２４がクリーニングされる。
【００３０】
なお、前記駆動ローラ２２は表面が高摩擦抵抗の部材によって形成される。また、駆動ローラ２２が取り付けられる軸３１にはギヤ３２が取り付けられる。該ギヤ３２は、装置本体に配設された図示されないギヤと噛合させられ、図示されない駆動部から伝達された回転を受けて回転させられ、駆動ローラ２２を回転させて転写ベルト２４を走行させる。
【００３１】
前記従動ローラ２３は、軸３３に取り付けられ、転写ベルト２４に張力を与え、転写ベルト２４を円滑に走行させる。なお、前記軸３１は、軸支部材としてのベアリング３４に嵌め込まれ、ユニットフレームとしてのベルトフレーム３５によって保持される。したがって、前記駆動ローラ２２、従動ローラ２３及び転写ベルト２４は、ベルトフレーム３５によって支持される。
【００３２】
前記ベアリング３４は、図７に示されるように、ベルトフレーム３５より外側に突出させて配設され、軸３１はベアリング３４より突出させて配設される。前記ベルトフレーム３５における軸３１の近傍には、押圧部材としての突起部材３７が、軸３１と隣接させて、かつ、外側に突出させて形成される。
【００３３】
ところで、前記ベルトユニット２１は、保守・点検、交換等のために、装置本体に対して着脱自在に配設され、そのために、把手４１が、前記各ベルトフレーム３５間にわたって架設され、揺動自在に取り付けられ、端部４１ａ、４１ｂが回動自在に支持される。なお、左右のベルトフレーム３５において、端部４１ａ、４１ｂが取り付けられる点は、従動ローラ２３側に寄せて設定される。したがって、操作者が把手４１を把持すると、図４に示されるように、従動ローラ２３側が上に、駆動ローラ２２側が下になるようにベルトユニット２１が傾く。
【００３４】
前記把手４１は、前記端部４１ａ、４１ｂから延びる第１の腕部ｍ１、ｍ２、該第１の腕部ｍ１、ｍ２の先端から直角の方向に延びる第２の腕部ｍ３、ｍ４、及び該第２の腕部ｍ３、ｍ４の先端間を連結する手掛け部４１ｃを備え、把手４１がベルトユニット２１を抱え込む形になっている。なお、前記把手４１は、端部４１ａ、４１ｂに対して、把手４１の重心が、前記ベルトフレーム３５に取り付けられたストッパ４２に接触する方向に位置させられる。したがって、手掛け部４１ｃは操作者によって把持されていない状態、すなわち、把手４１が解放された状態においては、自重によって転写ベルト２４側に倒れ、ストッパ４２によって停止させられ、位置決めされる。
【００３５】
そして、把手４１が前記ストッパ４２によって位置決めされている状態において、ベルトユニット２１はプリンタ１１に装着され、この状態において、前記把手４１は、プリンタ１１内に配設された画像形成ユニット１２Ｂｋ、１２Ｙ、１２Ｍ、１２Ｃと、ベルトユニット２１との隙間に収まるように位置させられる。この状態で、把手４１と画像形成ユニット１２Ｂｋ、１２Ｙ、１２Ｍ、１２Ｃとが干渉することはなく、かつ、手掛け部４１ｃと転写ベルト２４との間を、用紙が手掛け部４１ｃに接触することなく通過することができるように、十分な隙間を有する位置に把手４１が倒れて収まるようになっている。
【００３６】
図８は本発明の第１の実施の形態におけるベルトユニットの取付部を示す斜視図である。
【００３７】
図に示されるように、プリンタ１１側に配設された装置フレームとしてのフレーム５１の手前側及び奥側には、上端を開口させて、「Ｕ」字状の形状を有する受け部としてのベアリング受け部３６が形成され、該ベアリング受け部３６によって、ベアリング３４（図７）が受けられ、保持される。
【００３８】
そして、ベアリング３４がベアリング受け部３６によって保持された状態で、駆動ローラ２２の回転に伴う振動等の影響でベルトユニット２１が外れないように、前記ベアリング受け部３６の近傍に、ベアリング３４を上方から所定の付勢力で押圧する付勢部材としてのスプリング３８が配設される。該スプリング３８は、一部がベアリング受け部３６に臨ませて配設され、ほぼ水平方向に延在させられる保持部１０１、該保持部１０１の先端から上方に延びるアーム部１０２、該アーム部１０２の上端からほぼ水平方向に延在させられ、ベアリング３４を押さえる押え部１０３、及び該押え部１０３の先端から弧状に湾曲して斜めに立ち上げられ、ベアリング３４を案内する案内部１０４を備える。
【００３９】
また、フレーム５１には、前記保持部１０１の両端を上方から押さえて支持する支持部１１１、１１３、及び該支持部１１１、１１３間の中央部を下方から押さえて支持する支持部１１２が切り起こしによって形成され、前記案内部１０４の先端を上方から押さえて支持する支持部１１４が折り曲げによって形成される。
【００４０】
次に、前記構成のベルトユニット２１の着脱方法について説明する。
【００４１】
図１は本発明の第１の実施の形態におけるベルトユニットの装着状態を示す第１の要部拡大図、図９は本発明の第１の実施の形態におけるベルトユニットの装着状態を示す第２の要部拡大図、図１０は本発明の第１の実施の形態におけるベルトユニットの装着状態を示す正面図、図１１は本発明の第１の実施の形態におけるベルトユニットの装着状態を示す第３の要部拡大図である。
【００４２】
操作者が、把手４１を把持し、ベルトユニット２１を持ち上げると、ベルトユニット２１は、駆動ローラ２２（図４）側を下に、従動ローラ２３側を上にして傾斜させられ、装置本体に装着しやすくなる。そして、ベアリング３４をベアリング受け部３６内に進入させ、ベルトユニット２１を矢印ｇ方向に移動させると、ベアリング３４がスプリング３８の案内部１０４に接触する。なお、前記スプリング３８は、外力が加わらない状態で、押え部１０３と案内部１０４とが連結される所定の「Ｕ」字状の形状を有する接続部ｑ１がベアリング受け部３６内に臨むようにセットされる。このとき、前記接続部ｑ１のピーク３８ｃは、支持部１１２と軸３１の中心ｓｈ１とを結ぶ線Ｌｓより定着器６５側に位置し、その間に所定の距離δが置かれる。また、このとき、押え部１０３の水平方向に対する角度をθ１としたとき、
θ１≦４５〔°〕
にされる。
【００４３】
続いて、ベルトユニット２１を更に矢印ｇ方向に移動させると、ベアリング３４は案内部１０４を押し、スプリング３８の付勢力に抗して案内部１０４をベアリング受け部３６内から押し出そうとする。
【００４４】
このとき、ベルトユニット２１の荷重をＦとすると、該荷重Ｆは案内部１０４の当接部ｐａに加わり、分力Ｆ１が、ベアリング３４と案内部１０４との接線に対して垂直の方向に、分力Ｆ２が、ベアリング３４と案内部１０４との接線の方向に作用する。ところで、前記当接部ｐａは、前記線Ｌｓより定着器６５側に位置するので、前記分力Ｆ１によって図９の矢印Ｂ方向に回動させられ、前記接続部ｑ１はベアリング受け部３６内の部分から押し出される。そして、ピーク３８ｃと、ベアリング受け部３６におけるピーク３８ｃと対向する壁面３６ａとの隙間がベアリング３４の外径と等しくなると、ベアリング３４は前記隙間を通り抜け、ベアリング受け部３６にセットされる。このようにして、ベルトユニット２１はフレーム５１に対して装着される。
【００４５】
その後、スプリング３８は、復元力によって矢印Ｂ方向と反対の方向に回動させられ、ピーク３８ｃがベアリング３４の外周面の所定の箇所を押さえる位置で停止させられ、所定の付勢力でベアリング３４を押圧する。この場合、前記角度θ１が４５〔°〕以下にされるので、スプリング３８がベアリング３４を押圧する力を大きくすることができる。したがって、ベアリング３４がベアリング受け部３６から外れるのを防止することができる。
【００４６】
そして、この状態が形成された後、操作者は、ベルトユニット２１を前記ベアリング受け部３６を中心にして回動させて、図１０に示されるように、フレーム５１上に水平に置き、把手４１から手を離し、ロック部材４５を操作して、ベルトユニット２１がフレーム５１から外れないようにロックする。このとき、図１１に示されるように、スプリング３８のピーク３８ｃはベアリング３４の表面に上方から当接し、ベアリング３４をベアリング受け部３６に対して付勢する。
【００４７】
前記ロック部材４５は、ベルトフレーム３５に配設された軸ｓｈ２を中心に揺動自在に配設され、一方の端部、本実施の形態においては、下端に係止部としてのフック１３２が、他方の端部、本実施の形態においては、上端に摘み部１３３が形成される。一方、フレーム５１には、所定の箇所に非係止部としてのピン１２５が形成される。
【００４８】
したがって、操作者が、摘み部１３３を操作して、下方に押し付けると、ロック部材４５が回動させられ、フック１３２とピン１２５とが係止させられ、ベルトユニット２１はフレーム５１に対してロックされる。これに対して、操作者が、摘み部１３３を操作して、上方に押し上げると、ロック部材４５が回動させられ、フック１３２とピン１２５とが解放され、ベルトユニット２１はフレーム５１に対するロックが解除される。
【００４９】
また、把手４１から手を離したとき、把手４１は、図１０に示される矢印方向に倒れ、ストッパ４２と接触して停止させられる。
【００５０】
次に、前記構成のベルトユニット２１の取外し方法について説明する。
【００５１】
図１２は本発明の第１の実施の形態におけるベルトユニットの取外し方法を示す第１の正面図、図１３は本発明の第１の実施の形態におけるベルトユニットの取外し方法を示す第２の正面図、図１４は本発明の第１の実施の形態におけるベルトユニットの取外し方法を示す第１の要部拡大図、図１５は本発明の第１の実施の形態におけるベルトユニットの取外し方法を示す第３の正面図、図１６は本発明の第１の実施の形態におけるベルトユニットの取外し方法を示す第２の要部拡大図である。
【００５２】
まず、図１２に示されるように、操作者がロック部材４５を矢印方向に回動させて、ベルトユニット２１のフレーム５１に対するロックを解除し、ベルトユニット２１の把手４１を把持して持ち上げると、把手４１は端部４１ａ（図６）、４１ｂを支点として回転し、手掛け部４１ｃとベルトユニット２１の用紙走行位置との間の隙間が最大の位置で回転が停止させられる。
【００５３】
続いて、操作者が、図１３に示されるように、ベルトユニット２１を軸３１を中心に矢印Ｃ方向に傾けると、図１４に示されるように、突起部材３７が矢印Ｃ方向に回動し、ピーク３８ｃを押圧するので、スプリング３８は、変形して、支持部１１２を中心に矢印Ｃ方向に回動させられる。そして、ピーク３８ｃと壁面３６ａとの隙間がベアリング３４の外径と等しくなったときに、図１５及び１６に示されるように、ベルトユニット２１を矢印Ｄ方向に持ち上げると、フレーム５１からベルトユニット２１を取り外すことができる。
【００５４】
このように、本実施の形態においては、把手４１を把持し、ベルトユニット２１を持ち上げ、ベアリング３４をフレーム５１のベアリング受け部３６内に進入させると、スプリング３８がベアリング受け部３６から押し出され、その後、スプリング３８の復元力によってベアリング３４がベアリング受け部３６内に保持されるので、ベルトユニット２１を容易にフレーム５１に取り付けることができる。また、把手４１を把持し、軸３１を中心にしてベルトユニット２１を傾けると、突起部材３７がスプリング３８を押し、ベアリング受け部３６から押し出すので、ベルトユニット２１を容易にフレーム５１から取り外すことができる。したがって、ベルトユニット２１の着脱性を向上させることができる。
【００５５】
次に、本発明の第２の実施の形態について説明する。なお、第１の実施の形態と同じ構造を有するものについては、同じ符号を付与することによってその説明を省略し、同じ構造を有することによる発明の効果については同実施の形態の効果を援用する。
【００５６】
図１７は本発明の第２の実施の形態におけるベルトユニットの装着状態を示す要部拡大図である。
【００５７】
図に示されるように、受け部としてのベアリング受け部３６の側壁３６ａ、３６ｂのうちの、定着装置としての定着器６５（図３）側の側壁３６ｂは、上方に向けて延在させられる。そして、側壁３６ｂにおいて、ベルトユニット２１を装置フレームとしてのフレーム５１に取り付けた状態で押圧部材としての突起部材３７と対向する部分に、凹部３６ｅが形成される。一方、前記突起部材３７の定着器６５側の端部の上端には、面取り部としての湾曲部３７ａが形成される。また、前記凹部３６ｅの支持面としてのテーパ面３６ｆの水平方向に対する角度（傾斜角）θ２は３０〔°〕以上で、かつ、６０〔°〕以下にされる。該角度θ２が３０〔°〕より小さい場合、ベルトユニット２１を垂直状態の近くまで大きく傾けなければベルトユニット２１を持ち上げることができず、角度θ２が６０〔°〕より大きい場合、ベルトユニット２１を傾けて持ち上げるとき、突起部材３７がテーパ面３６ｆから受ける上方への反力が小さくなり、ベルトユニット２１の取外しに支障をきたしてしまう。
【００５８】
次に、前記構成のベルトユニット２１の取外し方法について説明する。なお、前記構成のベルトユニット２１の装着方法については、前記第１の実施の形態と同様であるので説明を省略する。
【００５９】
図１８は本発明の第２の実施の形態におけるベルトユニットの取外し方法を示す第１の正面図、図１９は本発明の第２の実施の形態におけるベルトユニットの取外し方法を示す第１の要部拡大図、図２０は本発明の第２の実施の形態におけるベルトユニットの取外し方法を示す第２の正面図、図２１は本発明の第２の実施の形態におけるベルトユニットの取外し方法を示す第２の要部拡大図、図２２は本発明の第２の実施の形態におけるベルトユニットの取外し方法を示す第３の正面図、図２３は本発明の第２の実施の形態におけるベルトユニットの取外し方法を示す第３の要部拡大図である。
【００６０】
まず、図１８に示されるように、操作者がロック部材４５を矢印Ｅ方向に回動させて、ベルトユニット２１のフレーム５１に対するロックを解除し、把手４１を把持し、図２０に示されるように、ベルトユニット２１をベアリング受け部３６に沿って矢印Ｆ方向に回動させて傾けると、図１９の状態にあった突起部材３７が、図２１に示されるようにピーク３８ｃを押すことによって、支持部１１２を中心にしてスプリング３８を回動させる。
【００６１】
さらに、ベルトユニット２１を傾けると、突起部材３７の前端が前記凹部３６ｅ（図１７）内に進入し、テーパ面３６ｆに接触する。そして、図２２に示されるように、更にベルトユニット２１を傾けると、図２３に示されるように、突起部材３７の湾曲部３７ａが支点になり、フレーム５１からベルトユニット２１が矢印Ｇ方向に持ち上がる。
【００６２】
このように、本実施の形態においては、ベルトユニット２１を傾けるのに伴って、スプリング３８をベアリング受け部３６から押し出し、さらに、ベルトユニット２１を傾けると、湾曲部３７ａが支点になり、フレーム５１からベルトユニット２１が持ち上がるので、ベルトユニット２１をフレーム５１から容易に取り外すことができる。
【００６３】
本実施の形態においては、ベルトユニット装着装置としてのプリンタについて説明しているが、本発明を、複写機、ファクシミリ装置、複合機等に適用することができる。
【００６４】
なお、本発明は前記実施の形態に限定されるものではなく、本発明の趣旨に基づいて種々変形させることが可能であり、それらを本発明の範囲から排除するものではない。
【図面の簡単な説明】
【００６５】
【図１】本発明の第１の実施の形態におけるベルトユニットの装着状態を示す第１の要部拡大図である。
【図２】従来のベルトユニットの取付部を示す斜視図である。
【図３】本発明の第１の実施の形態におけるプリンタの概略図である。
【図４】本発明の第１の実施の形態におけるベルトユニットの装着方法を示す斜視図である。
【図５】本発明の第１の実施の形態におけるベルトユニットの平面図である。
【図６】本発明の第１の実施の形態におけるベルトユニットの斜視図である。
【図７】本発明の第１の実施の形態におけるベルトユニットの要部を示す斜視図である。
【図８】本発明の第１の実施の形態におけるベルトユニットの取付部を示す斜視図である。
【図９】本発明の第１の実施の形態におけるベルトユニットの装着状態を示す第２の要部拡大図である。
【図１０】本発明の第１の実施の形態におけるベルトユニットの装着状態を示す正面図である。
【図１１】本発明の第１の実施の形態におけるベルトユニットの装着状態を示す第３の要部拡大図である。
【図１２】本発明の第１の実施の形態におけるベルトユニットの取外し方法を示す第１の正面図である。
【図１３】本発明の第１の実施の形態におけるベルトユニットの取外し方法を示す第２の正面図である。
【図１４】本発明の第１の実施の形態におけるベルトユニットの取外し方法を示す第１の要部拡大図である。
【図１５】本発明の第１の実施の形態におけるベルトユニットの取外し方法を示す第３の正面図である。
【図１６】本発明の第１の実施の形態におけるベルトユニットの取外し方法を示す第２の要部拡大図である。
【図１７】本発明の第２の実施の形態におけるベルトユニットの装着状態を示す要部拡大図である。
【図１８】本発明の第２の実施の形態におけるベルトユニットの取外し方法を示す第１の正面図である。
【図１９】本発明の第２の実施の形態におけるベルトユニットの取外し方法を示す第１の要部拡大図である。
【図２０】本発明の第２の実施の形態におけるベルトユニットの取外し方法を示す第２の正面図である。
【図２１】本発明の第２の実施の形態におけるベルトユニットの取外し方法を示す第２の要部拡大図である。
【図２２】本発明の第２の実施の形態におけるベルトユニットの取外し方法を示す第３の正面図である。
【図２３】本発明の第２の実施の形態におけるベルトユニットの取外し方法を示す第３の要部拡大図である。
【符号の説明】
【００６６】
１１    プリンタ
２１    ベルトユニット
２２    駆動ローラ
２３    従動ローラ
３１    軸
３４    ベアリング
３５    ベルトフレーム
３６    ベアリング受け部
３６ｆ    テーパ面
３７    突起部材
３８    スプリング
５１    フレーム
【図１】
2007264350.tif 000003
【図２】
2007264350.tif 000004
【図３】
2007264350.tif 000005
【図４】
2007264350.tif 000006
【図５】
2007264350.tif 000007
【図６】
2007264350.tif 000008
【図７】
2007264350.tif 000009
【図８】
2007264350.tif 000010
【図９】
2007264350.tif 000011
【図１０】
2007264350.tif 000012
【図１１】
2007264350.tif 000013
【図１２】
2007264350.tif 000014
【図１３】
2007264350.tif 000015
【図１４】
2007264350.tif 000016
【図１５】
2007264350.tif 000017
【図１６】
2007264350.tif 000018
【図１７】
2007264350.tif 000019
【図１８】
2007264350.tif 000020
【図１９】
2007264350.tif 000021
【図２０】
2007264350.tif 000022
【図２１】
2007264350.tif 000023
【図２２】
2007264350.tif 000024
【図２３】
2007264350.tif 000025